(57)【特許請求の範囲】
【請求項１】
本体ケースの内部に、送風手段と、上面を開口し一定水位の水を貯水するトレー、前記トレーの水に下部が浸漬される加湿フィルター、および、前記トレーに水を供給する給水タンクからなる加湿手段とを設けた加湿装置であって、前記本体ケース内を仕切板によって上方空間と下方空間とに仕切り、前記本体ケースの側面に、前記下方空間に複数の方向から連通する吸込口を設けるとともに、前記加湿フィルターを前記下方空間に前記複数の方向にその吸込面を対向させて立設し、前記上方空間に、前記送風手段を構成するターボファンを、そのファン吸気口が前記仕切板に設けた前記下方空間への連通口に対向するように配設し、前記ターボファンから、前記本体ケースの上端周縁部に前方から側方を経て後方にかけ設けた吹出口に向けて送風する構成とし、前記本体ケースは略箱体状をなし、前記本体ケースの複数の側面に前記下方空間と連通する吸込口を設けるとともに、前記下方空間に前記加湿フィルターを、その吸込面を前記吸込口のそれぞれに対向させて立設し、前記吹出口を前記本体ケースの複数の上端周縁部に設け、前記吸込口および前記吹出口をそれぞれ、３箇所の前記側面および前記上端周縁部に設け、前記吸込口および前記吹出口が設けられていない側面側の前記本体ケース内に、給水タンクを挿脱自在に装着したことを特徴とする加湿装置。
【請求項２】
前記ターボファンは、複数枚のブレードを立設したハブを、内周側から外周側に向かうにしたがって反ファン吸気口側に傾斜する形状としたことを特徴とする請求項１に記載の加湿装置。
【請求項３】
前記複数の吹出口のそれぞれは、前記吸込口の設けられた側面がなす上端周縁部に設けられたことを特徴とする請求項１または２に記載の加湿装置。
【請求項４】
前記加湿フィルターは、４つの面からなる枠状に形成して上下に開口する方向に配設されたことを特徴とする請求項１〜３のいずれかに記載の加湿装置。
【請求項５】
前記加湿フィルターは、環状に形成して上下に開口する方向に配設されたことを特徴とする請求項１〜３のいずれかに記載の加湿装置。
【請求項６】
前記環状をなす加湿フィルターの上側開口縁部を、オリフィスの開口縁部の外方近傍に位置させたことを特徴とする請求項５に記載の加湿装置。
【請求項７】
前記吹出口は、前記本体ケースの側面から天面にわたり開口して形成されたことを特徴とする請求項１〜３のいずれかに記載の加湿装置。
【請求項８】
前記本体ケースは平面視、長円形状であり、前記吸込口は前記本体ケースの湾曲面をなす背面側側面に両側端部近傍まで開口して、前記下方空間に複数の方向から連通するように設けられ、前記吹出口は前記本体ケースの上端周縁部に前方から側方を経て後方に続く開口に形成して設けられたことを特徴とする請求項１または２に記載の加湿装置。
【請求項９】
前記本体ケース内を、水平方向に配設された前記仕切板に加えて縦方向に配設された内側板によって、上方空間と下方空間に仕切るとともに、前記上方空間および前記下方空間の側方に給水タンク収納空間を形成し、前記上方空間および前記下方空間の上方に位置する前記本体ケースの上端周縁部に前記吹出口を設けたことを特徴とする請求項８に記載の加湿装置。
【請求項１０】
前記吸込口は、前記下方空間に連通させた前記給水タンク収納空間に臨む位置にまで広がる大きさとしたことを特徴とする請求項９に記載の加湿装置。
【請求項１１】
前記本体ケースの前面側側面に、前記下方空間に前方から連通する前面側吸込口を設けたことを特徴とする請求項８〜１０のいずれかに記載の加湿装置。
【請求項１２】
前記加湿フィルターを、平面視、前記給水タンク収納空間の反対側に円弧部を有する半長円形状の前記下方空間に近似させて、前記給水タンク収納空間側より反対側に角部を多くした多角形枠状に形成したことを特徴とする請求項９に記載の加湿装置。
【発明の詳細な説明】
【技術分野】
【０００１】
本発明は、給水された水を貯水した貯水槽の水に、一部を浸漬した加湿フィルターに通風して加湿する気化式の加湿装置に関するものである。
【背景技術】
【０００２】
従来より、加湿空気が室内の一定方向のみに吹き出されるのではなく、多方向に吹き出されるように多方向に向けて吹出口を設けた加湿装置が提案されている（例えば、特許文献１参照）。
【０００３】
以下、特許文献１に記載の加湿装置について、図１１を参照しながら説明する。
【０００４】
図に示すように、加湿装置の器体１０１を筒状に形成し、器体１０１の底部に水を貯留する水槽１０２を形成し、吸水材１０３を放射状に保持して形成したフィルター１０４が、その下端を水槽１０２の水に浸漬して配設されている。
【０００５】
そして、器体１０１の下部周囲にはフィルター１０４に面する吸気口１０５を設けるとともに、器体１０１の上部周囲に吹出口１０６を全周にわたって設け、器体１０１内のフィルター１０４上方に、下から上に向けて送風する送風機１０７を設けている。
【０００６】
上記構成により、送風機１０７を運転すると、室内の空気が吸気口１０５から器体１０１内に吸気され、吸水したフィルター１０４に接触しながら通過して上昇し、器体１０１の上部周囲に設けた吹出口１０６から室内全周域に吹き出されていく。
【先行技術文献】
【特許文献】
【０００７】
【特許文献１】実開昭６１−１０４４３号公報（実願昭５９−９４９３１号のマイクロフィルム）
【発明の概要】
【発明が解決しようとする課題】
【０００８】
このような特許文献１に記載の加湿装置おいては、器体１０１を筒状にして、吹出口１０６をその上部周囲に全周にわたり形成して、加湿空気を無指向状に吹き出す構成としたものであり、フィルター１０４は筒状の器体１０１に適した放射状に形成され、また、送風機１０７は、筒状の器体１０１内の送風に適した軸流ファンとしたものである。
【０００９】
このようなことから、フィルター１０４における加湿効率が高くなく、また、器体１０１内における空気流がスムーズなものでないので、騒音が高く、圧力損失が増大することが考えられるものであった。
【００１０】
すなわち、吸気口１０５から吸気された空気は、吸気口１０５に向かって放射状に形成された吸水材１０３の間を流れ、そして、上方に位置する送風機１０７の方向に大きく通風方向が曲げられるので、フィルター１０４の中心部まで均一な状態で接触して通風することがなくなる。
【００１１】
さらに、送風機１０７を構成する軸流ファンから送り出された空気はまっすぐ上方に流れていくが、吹出口１０６は器体１０１の周囲にあるので、通風方向はここでも、コーン状の天板１０８により誘導されて大きく曲げられる。
【００１２】
そこで本発明は、上記従来の課題を解決するものであり、所定の加湿量を確保したうえで、器体内の空気流がスムーズに流れ、吹き出された加湿空気が室内の広範囲で循環する加湿装置を提供することを目的とする。
【課題を解決するための手段】
【００１３】
そして、この目的を達成するために、本発明の加湿装置は、本体ケースの内部に、送風手段と、上面を開口し一定水位の水を貯水するトレー、前記トレーの水に下部が浸漬される加湿フィルター、および、前記トレーに水を供給する給水タンクからなる加湿手段とを設けた加湿装置であって、前記本体ケース内を仕切板によって上方空間と下方空間とに仕切り、前記本体ケースの側面に、前記下方空間に複数の方向から連通する吸込口を設けるとともに、前記加湿フィルターを前記下方空間に前記複数の方向にその吸込面を対向させて立設し、前記上方空間に、前記送風手段を構成するターボファンを、そのファン吸気口が前記仕切板に設けた前記下方空間への連通口に対向するように配設し、前記ターボファンから、前記本体ケースの上端周縁部に前方から側方を経て後方にかけ設けた吹出口に向けて送風する構成とし、前記本体ケースは略箱体状をなし、前記本体ケースの複数の側面に前記下方空間と連通する吸込口を設けるとともに、前記下方空間に前記加湿フィルターを、その吸込面を前記吸込口のそれぞれに対向させて立設し、前記吹出口を前記本体ケースの複数の上端周縁部に設け、前記吸込口および前記吹出口をそれぞれ、３箇所の前記側面および前記上端周縁部に設け、前記吸込口および前記吹出口が設けられていない側面側の前記本体ケース内に、給水タンクを挿脱自在に装着したことを特徴としたものであり、これにより所期の目的を達成するものである。
【発明の効果】
【００１４】
本発明によれば、本体ケース内の空気の流れがスムーズになること、および、圧力損失が低減することにより、騒音の低下および消費電力の低減を達成でき、加えて、室内の広範囲で加湿空気を循環することができることにより、室内における加湿状態のむらを低下させることができ、室内の空気は、複数の側面の吸込口から本体ケース内へ吸い込まれ、吸込口に対向した加湿フィルターの外側から内側に複数の方向から通過して、仕切板の連通口からターボファンに吸気され、ターボファンから本体ケースの複数の上端周縁部に設けた吹出口に向けて斜め上方に送風されることとなり、本体ケース内の空気の流れがスムーズになるとともに、圧力損失が低減するので、騒音の低下および消費電力の低減を達成でき、加えて、加湿された空気が室内の広範囲で循環されるので、室内における加湿状態のむらを低下させることができ、加湿しながら室内空気を広範囲に循環する機能部と、この機能部に給水する給水タンクとを、左右方向に配設することより、本体ケース内にコンパクトに納めることができるので、前後方向に出っ張らず、圧迫感のないコンパクトな形状とすることができる。
【図面の簡単な説明】
【００１５】
【図１】本発明の実施の形態１の加湿装置を示す前方からの斜視図
【図２】同加湿装置の後方からの斜視図
【図３】同加湿装置の本体ケース内を示す斜視図
【図４】同加湿装置の本体ケース内を示す断面図
【図５】同加湿装置の加湿フィルターの斜視図
【図６】本発明の実施の形態２の加湿装置における加湿フィルターの斜視図
【図７】本発明の実施の形態３の加湿装置を示す後方からの斜視図
【図８】同加湿装置の横断面図
【図９】同加湿装置の縦断面図
【図１０】同加湿装置の前方からの斜視図
【図１１】従来の加湿装置を示す斜視図
【発明を実施するための形態】
【００１６】
本発明の請求項１記載の加湿装置は、本体ケースの内部に、送風手段と、上面を開口し一定水位の水を貯水するトレー、前記トレーの水に下部が浸漬される加湿フィルター、および、前記トレーに水を供給する給水タンクからなる加湿手段とを設けた加湿装置であって、前記本体ケース内を仕切板によって上方空間と下方空間とに仕切り、前記本体ケースの側面に、前記下方空間に複数の方向から連通する吸込口を設けるとともに、前記加湿フィルターを前記下方空間に前記複数の方向にその吸込面を対向させて立設し、前記上方空間に、前記送風手段を構成するターボファンを、そのファン吸気口が前記仕切板に設けた前記下方空間への連通口に対向するように配設し、前記ターボファンから、前記本体ケースの上端周縁部に前方から側方を経て後方にかけ設けた吹出口に向けて送風する構成とし、前記本体ケースは略箱体状をなし、前記本体ケースの複数の側面に前記下方空間と連通する吸込口を設けるとともに、前記下方空間に前記加湿フィルターを、その吸込面を前記吸込口のそれぞれに対向させて立設し、前記吹出口を前記本体ケースの複数の上端周縁部に設け、前記吸込口および前記吹出口をそれぞれ、３箇所の前記側面および前記上端周縁部に設け、前記吸込口および前記吹出口が設けられていない側面側の前記本体ケース内に、給水タンクを挿脱自在に装着したことを特徴としたものであり、室内の空気は、吸込口から複数の方向に本体ケース内へ吸い込まれ、加湿フィルターの外側から内側に複数の方向から通過して、仕切板の連通口からターボファンに吸気され、ターボファンから本体ケースの上端周縁部に前方から側方を経て後方にかけ設けた吹出口に向けて斜め上方に送風されることとなり、本体ケース内の空気の流れがスムーズになるとともに、ターボファンの吸込側および吹出側の通風路における通気抵抗が減少して、圧力損失が低減するので、騒音の低下および消費電力の低減を達成でき、加えて、加湿された空気が室内の広範囲で循環されるので、室内における加湿状態のむらを低下させることができ、室内の空気は、複数の側面の吸込口から本体ケース内へ吸い込まれ、吸込口に対向した加湿フィルターの外側から内側に複数の方向から通過して、仕切板の連通口からターボファンに吸気され、ターボファンから本体ケースの複数の上端周縁部に設けた吹出口に向けて斜め上方に送風されることとなり、本体ケース内の空気の流れがスムーズになるとともに、圧力損失が低減するので、騒音の低下および消費電力の低減を達成でき、加えて、加湿された空気が室内の広範囲で循環されるので、室内における加湿状態のむらを低下させることができ、加湿しながら室内空気を広範囲に循環する機能部と、この機能部に給水する給水タンクとを、左右方向に配設することより、本体ケース内にコンパクトに納めることができるので、前後方向に出っ張らず、圧迫感のないコンパクトな形状とすることができる、という作用効果を奏する。
【００１７】
また、請求項２記載の加湿装置は、請求項１に記載の加湿装置において、前記ターボファンは、複数枚のブレードを立設したハブを、内周側から外周側に向かうにしたがって反ファン吸気口側に傾斜する形状としたものであり、ターボファンから送出される空気流が、ハブに沿って吹出口が位置する斜め上方に向かうものとなり、ターボファンから吹出口への空気の流れが、よりスムーズなものとなるので、吹出口側の騒音低下と消費電力低減を達成できる。
【００１９】
また、請求項３記載の加湿装置は、請求項１または２に記載の加湿装置において、前記複数の吹出口のそれぞれは、前記吸込口の設けられた側面がなす上端周縁部に設けられたものであり、複数の吹出口と吸込口が同じ側面に対をなして配置されることとなり、室内の複数の方向に向く加湿空気の循環流が乱れることなく良好なものとなるので、室内における加湿状態のむらをより低下させることができる。
【００２０】
また、請求項４記載の加湿装置は、請求項１〜３のいずれかに記載の加湿装置において、前記加湿フィルターは、４つの面からなる枠状に形成して上下に開口する方向に配設されたものであり、吸込口から吸い込まれた空気は、ほとんどが枠状の加湿フィルターの内周側に吸引されて、ターボファンに集中して吸気されていくので、漏れのほとんどない空気流となり、通性性がさらに向上する。
【００２１】
また、請求項５記載の加湿装置は、請求項１〜３のいずれかに記載の加湿装置において、前記加湿フィルターは、環状に形成して上下に開口する方向に配設されたものであり、環状の加湿フィルターの内周面には、ターボファンの吸気による負圧が略均一にかかり、加湿フィルターを通過する空気流が略均一な状態で通過するものとなり、加湿フィルターにおける加湿効率が向上する。
【００２２】
また、請求項６記載の加湿装置は、請求項５に記載の加湿装置において、前記環状をなす加湿フィルターの上側開口縁部を、前記連通口の開口縁部の外方近傍に位置させたものであり、ターボファンの吸気により加湿フィルターの内周面にかかる負圧が増して、加湿フィルターにおける通風性が向上し、加湿効率がさらに向上する。
【００２３】
また、請求項７記載の加湿装置は、請求項１〜３のいずれかに記載の加湿装置において、前記吹出口は、前記本体ケースの側面から天面にわたり開口して形成されたものであり、ターボファンから送出される空気流が斜め上方に向くことに合わせて、吹出口からの吹出角度を天面にかかる上方側に上げることができるので、騒音、消費電力が増すことなく、加湿空気を室内のより広範囲に循環させることができる。
【００２５】
また、請求項８記載の加湿装置は、請求項１または２に記載の加湿装置において、前記本体ケースは平面視、長円形状であり、前記吸込口は前記本体ケースの湾曲面をなす背面側側面に両側端部近傍まで開口して、前記下方空間に複数の方向から連通するように設けられ、前記吹出口は前記本体ケースの上端周縁部に前方から側方を経て後方に続く開口に形成して設けられたものであり、吸込口は、背面側側面の湾曲面に形成されるので、左右方向へ広く形成できるとともに、遠心式送風機のターボファンの吹出口が円弧状に形成され、本体ケースからの吹出流がよりスムーズなものとなる。
【００２６】
また、請求項９記載の加湿装置は、請求項８に記載の加湿装置において、前記本体ケース内を、水平方向に配設された前記仕切板に加えて縦方向に配設された内側板によって、上方空間と下方空間に仕切るとともに、前記上方空間および前記下方空間の側方に給水タンク収納空間を形成し、前記上方空間および前記下方空間の上方に位置する前記本体ケースの上端周縁部に前記吹出口を設けたものであり、加湿しながら室内空気を広範囲に循環する機能部と、この機能部に給水する給水タンクとを、本体ケース内を左右方向に仕切って形成した空間に配設するので、本体ケースを前後方向に出っ張らず、圧迫感のないコンパクトな形状とすることができる。
【００２７】
また、請求項１０記載の加湿装置は、請求項９に記載の加湿装置において、前記吸込口は、前記下方空間に連通させた前記給水タンク収納空間に臨む位置にまで広がる大きさとしたものであり、吸込口の給水タンク収納空間に臨む開口部から吸い込まれた空気は、給水タンク収納空間を経由して、下方空間に側方から流入していくこととなる。
【００２８】
また、請求項１１記載の加湿装置は、請求項８〜１０のいずれかに記載の加湿装置において、前記本体ケースの前面側側面に、前記下方空間に前方から連通する前面側吸込口を設けたものであり、室内空気が下方空間に前面側からも流入することとなり、加湿フィルターの吸込面から吸い込まれていく通気流の通気特性がより向上する。
【００２９】
また、請求項１２記載の加湿装置は、請求項９のいずれかに記載の加湿装置において、前記加湿フィルターを、平面視、前記給水タンク収納空間の反対側に円弧部を有する半長円形状の前記下方空間に近似させて、前記給水タンク収納空間側より反対側に角部を多くした多角形枠状に形成したものであり、加湿フィルターの吸込面と、その外方に形成される下方空間の側面との間の空間の幅が均一に近くなり、加湿フィルターの吸込面から吸い込まれていく通気流の通気特性がさらに向上する。
【００３０】
（実施の形態１）
本発明の実施の形態１の加湿装置は、図１および図２に示すように、本体ケース１が略箱形状をなし、主ケース部２とサイドケース部３とからなる。また、サイドケース部３は、図示しないが、主ケース部２に対し、下端部を回動支点として左右方向に回動して、上方を半開き状態に開放する。
【００３１】
そして、本体ケース１内を示す図３および図４を併せて説明すると、本体ケース１内を、水平方向に配設した仕切板４と、本体ケース１の右側部寄りに縦方向に配設した内側板５とによって、上方空間６と下方空間７と側方空間８とに仕切り、上方空間６の上端部を本体ケース１の主ケース部２の主天面９で覆い、側方空間８は、上端部がサイドケース部３のサイド天面１０で覆われ、下部側で下方空間７と連通している。すなわち、内側板５は主天面９から仕切板４の間に設けられている。
【００３２】
そして、主ケース部２の前側面１３ａ、左側面１３ｂ、後側面１３ｃの３つの側面１３の下部に、下方空間７の前側部、左側部、後側部（図３に前側部と左側部を示す）の３側部に形成した開口１１に連接して下方空間７に連通する吸込口１２を設けるとともに、上方空間６の側部となる主ケース部２の前側面１３ａ、左側面１３ｂ、後側面１３ｃの３つの側面１３と主天面９とがなす３箇所の上端周縁部に、上方空間６と連通する吹出口１４を設けている。すなわち、吸込口１２と吹出口１４は、同じ側面１３に１個ずつ対をなすようにして、３箇所に設けられている。
【００３３】
そして、本体ケース１内の下方空間７から側方空間８にかけて、上面を開口し一定水位の水を貯水するトレー１５と、トレー１５に貯水された水に下部が浸漬される加湿フィルター１６と、トレー１５に水を供給する給水タンク１７とからなる加湿手段１８を設けている。
【００３４】
トレー１５は、サイドケース部３を主ケース部２から取り外し、加湿フィルター１６を立設した状態で、主ケース部２の側方から下方空間７に挿脱自在に装着される。また、給水タンク１７は、サイドケース部３の上方を半開き状態にし、側方空間８の上方から挿入され、下部がトレー１５内の側部に位置する。加湿フィルター１６は、図５に示すように、４つの面からなる枠状に形成して上下に開口する方向に配設され、３つの面を３箇所の吸込口１２に対向させてトレー１５の水内に立設されている。また、加湿フィルター１６は、枠状の上側開口端面を仕切板４の下面に当接させ、加湿フィルター１６の内周側に外周側と仕切られた内周側空間１９を形成している。
【００３５】
一方、上方空間６には送風手段２０を設けている。送風手段２０は、ターボファン２１を、仕切板４の中央部に形成された下方空間７への連通口で送風手段２０の吸気口となるオリフィス２２に、ファン吸気口２３を対向させ、ターボファン２１から送出される空気流が上方空間６の上端周縁部に位置する吹出口１４に向く構成としている。
【００３６】
さらにターボファン２１について説明を加えると、ターボファン２１は、モーター２４の回転軸２４ａに固着されるハブ２１ａと、ハブ２１ａの外周側に放射状に立設される複数枚のブレード２１ｂと、ブレード２１ｂを間に置いてハブ２１ａとの間に誘導流路を形成するシュラウド２１ｃとからなり、ハブ２１ａが内周側から外周側に向かうにしたがい反ファン吸気口２３側に傾斜する形状にした点に特徴がある。
【００３７】
そして、上記ハブ２１ａの傾斜によりターボファン２１から送出される空気流が反ファン吸気口２３側に、すなわち、斜め上方に向くことに合わせて、吹出口１４を主ケース部２の側面１３から主天面９にわたり開口して形成し、その吹出角度を上方側に上げている。
【００３８】
次に、上記構成の加湿装置の運転について説明する。
【００３９】
送風手段２０のモーター２４に通電してターボファン２１を回転させると、室内の空気は主ケース部２の前側面１３ａ、左側面１３ｂ、後側面１３ｃの３側面１３に設けた吸込口１２から吸い込まれ、各吸込口１２に対向した枠状の加湿フィルター１６の３つの面を通過して加湿フィルター１６の内周側空間１９に吸い込まれ、この過程において、加湿フィルター１６に吸い上げられた水が気化し、加湿空気となる。
【００４０】
そして、加湿フィルター１６の内周側空間１９に吸い込まれた加湿空気は、オリフィス２２からターボファン２１に吸気される。このとき、内周側空間１９は外周側と仕切られた負圧空間となっているので、吸込口１２から吸い込まれた室内の空気は、ほとんどが内周側空間１９に吸い込まれ、また、オリフィス２２は仕切板４の中央部、すなわち、内周側空間１９の中央部に位置しており、さらに、吸込口１２は、主ケース部２の３箇所の側面１３に設けられているので、内周側空間１９からオリフィス２２への吸込みはスムーズな流れになるとともに、送風手段２０の吸込側における通気抵抗が減少して圧力損失が低減し、騒音を低下させ、消費電力を低減させることができる。
【００４１】
そして、ターボファン２１に吸気された加湿空気は、ハブ２１ａがその内周側から外周側に向かうにしたがって上方に傾斜する形状となっているので、斜め上方に送出され、上方空間６における斜め上方の３箇所に位置する吹出口１４に向く空気流となり、吹出口１４に空気流を誘導する誘導板等を設けることなく、スムーズな空気流で吹出口１４から吹き出すことができる。
【００４２】
このように、ターボファン２１から室内へ吹き出される空気の流れがスムーズなものとなるとともに、圧力損失が低減されるので、送風手段２０の吹出側における騒音を低下させ、消費電力を低減させることができる。
【００４３】
さらに、３箇所の吸込口１２に対向する加湿フィルター１６をほとんど漏れなく通過して所定の加湿量を確保したうえで、主ケース部２内を低騒音かつ低圧損で通風して吹き出される加湿空気は、主ケース部２の上端周縁部において側面１３から主天面９にわたり開口して形成された吹出口１４から斜め上方に吹き出され、しかも、３箇所の吸込口１２と吹出口１４は、同じ側面１３の下部と上端周縁部に１個ずつ対をなすように設けられているので、吹出口１４から室内の３方向に吹き出され、室内から吸込口１２に吸い込まれて本体ケース１に戻る循環流が、本体ケース１の周囲で乱れることなく良好な流れとなって室内の上方から遠くへ流れ、室内の広範囲で循環して、室内における加湿状態のむらをより低下させることができる。
【００４４】
また、給水タンク１７を本体ケース１の側方空間８に納めて装着しているので、加湿しながら室内空気を広範囲に循環する機能部（送風手段２０を備えた上方空間６と加湿手段１８を備えた下方空間７）と、この機能部に給水する給水タンク１７とを、左右方向に配設して本体ケース１に納めることができ、前後方向に出っ張らず圧迫感のないコンパクトな形状の加湿装置とすることができる。
【００４５】
なお、本実施の形態１では、本体ケース１内に形成する上方空間６と下方空間７を左側に、側方空間８を右側部に形成しているが、これらを左右方向に入れ換えてもよいことは、いうまでもない。
【００４６】
（実施の形態２）
本発明の実施の形態２の加湿装置は、図６に示すように、上記実施の形態１の加湿装置に対し、加湿フィルター１６Ａを、上下に開口する環状に形成した点に特徴がある。
【００４７】
加湿フィルター１６Ａを環状にすることにより、その内周面にはターボファン２１の吸気による負圧が略均一にかかり、吸込口１２から吸い込まれてきた室内の空気が加湿フィルター１６Ａの全面にわたって略均一な状態で通過し、加湿フィルター１６Ａに吸水された水を効率よく気化して加湿することとなる。
【００４８】
そして、加湿フィルター１６Ａにおける加湿効率が向上することにより、ターボファン２１の回転数を下げることができるので、騒音、消費電力の低下、低減を図ることができる。
【００４９】
また、環状をなす加湿フィルター１６Ａの上側開口縁部１６ａをオリフィス２２の開口縁部の外方近傍に位置させる構成とすると、ターボファン２１の吸気により加湿フィルター１６Ａの内周面にかかる負圧が増して、加湿フィルター１６Ａにおける通風性が向上し、加湿能力がさらに高まることとなる。
【００５０】
（実施の形態３）
本発明の実施の形態３の加湿装置は、図７〜９に示すように、上記実施の形態１の加湿装置に対し、本体ケース１Ａが、平面視、長円形状であり、湾曲面をなす背面側側面１３ｄに、両側端部近傍まで開口した吸込口１２Ａを設けている。
【００５１】
そして、本体ケース１Ａ内を、水平方向に配設された仕切板４Ａにより形成される上方空間６Ａおよび下方空間７Ａと、縦方向に配設された内側板５Ａによって上方空間６Ａと下方空間７Ａの側方に形成される給水タンク収納空間８Ａとに仕切っている。また、給水タンク収納空間８Ａは下部において下方空間７Ａと連通している。
【００５２】
そして、背面側側面１３ｄに設けられた吸込口１２Ａは、給水タンク収納空間８Ａに臨んで開口する位置まで形成されている。また、本体ケース１Ａの上方空間６Ａおよび下方空間７Ａの上方に位置する上端周縁部に、前方から側方を経て後方に連続して続く吹出口１４Ａを設けている。すなわち、吹出口１４Ａは本体ケース１Ａの上端周縁部における一側方の円弧部に沿い形成されている（図７参照）。
【００５３】
一方、図８に示すように、下方空間７Ａは、平面視、給水タンク収納空間８Ａの反対側に円弧部を有する半長円形状に形成されているので、加湿フィルター１６Ｂを、この円弧部に沿う近似した形状としている。具体的には、加湿フィルター１６Ｂを、給水タンク収納空間８Ａ側より反対側に角部を多くした六角形の枠状に形成している。
【００５４】
上記のように構成された加湿装置を運転すると、室内の空気は本体ケース１Ａの背面側側面１３ｄの吸込口１２Ａにおける平面部１２ａから下方空間７Ａの後方に流入するとともに、吸込口１２Ａの一方の側方における湾曲部１２ｂを通って下方空間７Ａに斜め後方から流入し、側方に流れていく。
【００５５】
また、室内の空気は、吸込口１２Ａのもう一方の側方において給水タンク収納空間８Ａに臨んだ開口１２ｃから吸い込まれ、給水タンク収納空間８Ａを経由して下方空間７Ａに側方から流入していく。
【００５６】
そして、下方空間７Ａに複数の方向から流入した空気は、それらの流入方向にほぼ対向するように配設された加湿フィルター１６Ｂの吸込面から内周側空間１９Ａに吸い込まれて加湿された空気となり、仕切板４Ａのオリフィス２２Ａからターボファン２１Ａに吸気されて、本体ケース１Ａの上端周縁部に前方から側方を経て後方にかけ円弧状に形成された吹出口１４Ａから室内に吹き出される。
【００５７】
このように、室内空気は湾曲した背面側側面１３ｄに形成されて広い開口を有する吸込口１２Ａから吸い込まれ、加湿フィルター１６Ｂに複数の方向から吸い込まれるとともに、ターボファン２１Ａからの遠心空気流を円弧状に形成された吹出口１４Ａから吹き出すので、吸込側の通気流および吹出側の通気流をスムーズなものとし、かつ、通気抵抗が減少して圧力損失が低減し、騒音をより低下させ、消費電力をより低減させることができ、さらに、加湿空気を円弧状の吹出口１４Ａから室内に広範囲に、かつ、加湿状態のむらをより低減させて吹き出すことができる。
【００５８】
また、加湿しながら室内空気を広範囲に循環する機能部（ターボファン２１Ａと加湿フィルター１６Ｂと、この機能部に給水する給水タンク１７Ａとを、本体ケース１Ａ内を内側板５Ａにより左右に仕切って形成した上方空間６Ａおよび下方空間７Ａと給水タンク収納空間８Ａとに配設するので、本体ケース１Ａを前後方向に出っ張らず圧迫感のないコンパクトな形状とすることができる。
【００５９】
そして、加湿フィルター１６Ｂは、下方空間７Ａの一側方の円弧部に近似させて、この円弧部側に角部を多くした六角形の枠状に形成しているので、加湿フィルター１６Ｂの吸込面と、その外方の下方空間７Ａの側面との間の空間２５の幅が均一に近いものとなり、加湿フィルター１６Ｂの吸込面から吸い込まれていく通気流の通気特性がさらに向上する。
【００６０】
そして、図１０に示すように上記構成に加えて、本体ケース１Ａの前面側側面１３ｅに、下方空間７ａに前方から連通する前面側吸込口２６を設けると、室内空気が前方からも流入し、加湿フィルター１６Ｂの吸込面から吸い込まれていく通気流の通気特性をいっそう向上させることができる。
【００６１】
なお、本実施の形態３の加湿装置では、吹出口１４Ａを本体ケース１Ａの上端周縁部に前方から側方を経て後方に連続して続く構成としているが、複数の開口を連続して形成しても同様の作用効果を奏する。
【００６２】
また、加湿フィルター１６Ｂは六角形の枠状としたが、角部の数はこれに限定されるものではなく、さらに角部が多くなれば、加湿フィルターの吸込面と、その外方の下方空間７Ａの側面との間の空間２５の幅が均一により近いものとなり、さらに通気特性が向上する。
【産業上の利用可能性】
【００６３】
本発明に係る加湿装置は、低騒音化、低圧損化して発生させた加湿空気を、室内の広範囲で循環でき、室内を快適な湿度状態に維持する加湿装置として有用である。
【符号の説明】
【００６４】
１      本体ケース
１Ａ    本体ケース
４      仕切板
４Ａ    仕切板
５Ａ    内側板
６      上方空間
７      下方空間
８Ａ    給水タンク収納空間
９      主天面
１２    吸込口
１２Ａ  吸込口
１３    側面
１３ｄ  背面側側面
１３ｅ  前面側側面
１４    吹出口
１４Ａ  吹出口
１５    トレー
１６    加湿フィルター
１６Ａ  加湿フィルター
１６Ｂ  加湿フィルター
１６ａ  上側開口縁部
１７    給水タンク
１８    加湿手段
２０    送風手段
２１    ターボファン
２１ａ  ハブ
２１ｂ  ブレード
２２    オリフィス
２３    ファン吸気口
２６    前面側吸込口
【図１】
0005810261.tif 000002
【図２】
0005810261.tif 000003
【図３】
0005810261.tif 000004
【図４】
0005810261.tif 000005
【図５】
0005810261.tif 000006
【図６】
0005810261.tif 000007
【図７】
0005810261.tif 000008
【図８】
0005810261.tif 000009
【図９】
0005810261.tif 000010
【図１０】
0005810261.tif 000011
【図１１】
0005810261.tif 000012